(57)【特許請求の範囲】
【請求項１】
表示手段を備える第１の筐体と、操作手段を備える第２の筐体とが、開閉可能に構成された放送受信装置であって、
放送を受信する放送受信手段と、
受信放送を記録する記録手段と、
開状態である放送受信装置が、前記放送受信手段により受信している放送を前記表示手段で表示している際に、当該表示手段が隠れる閉状態に状態変化すると、前記表示手段における放送の表示を停止するとともに、前記放送受信手段により受信している放送を記録手段に記録し、該放送の番組が終了すると当該記録手段の記録を停止する制御手段と、
を備える放送受信装置。
【請求項２】
表示手段を備える第１の筐体と、操作手段を備える第２の筐体とが、開閉可能に構成された放送受信装置であって、
放送を受信する放送受信手段と、
受信放送を記録する記録手段と、
前記表示手段が露出する閉状態である放送受信装置が、前記放送受信手段により受信している放送を前記表示手段で表示している際に、開状態に状態変化すると、前記表示手段における放送の表示を停止するとともに、前記放送受信手段により受信している放送を記録手段に記録し、該放送の番組が終了すると当該記録手段の記録を停止する制御手段と、
を備える放送受信装置。
【発明の詳細な説明】
【技術分野】
【０００１】
本発明は、開閉可能の筐体を有し、放送コンテンツデータの受信・保存・再生を行う機能を有する携帯電話機等の放送受信装置に関するものである。
【背景技術】
【０００２】
現在、放送コンテンツデータを受信可能な携帯端末として、地上波アナログテレビ放送に対応した携帯電話や、モバイル放送に対応した端末があげられる。また2006年には、放送コンテンツデータのブロードキャスト・マルチキャストが可能な1xEV-DO Rev.Aに対応した携帯電話のサービス開始が予定されている。
また、携帯電話キャリア各社は、地上デジタル放送に対応した携帯電話のサービスを開始する予定である。
【０００３】
今後、携帯端末の高機能化、携帯端末の記憶装置の大容量化、無線通信速度の高速化、放送されるコンテンツデータの大容量化により、携帯端末は内部メモリや外部メモリに放送コンテンツデータを保存し、好きなときに再生するというハードディスク・レコーダーのように使われることが予想される。
【０００４】
これらの携帯端末を用いて放送コンテンツデータの受信・再生を開始する際には、放送コンテンツデータ受信用のアプリケーションをユーザーが端末のキー部分の操作を行うことにより起動し、また受信・再生を終了する際には、アプリケーションの終了を指示するキー操作を行うことで終了させる方法が考えられる。
また、受信データを端末のメモリに保存する場合も、キー操作によって保存設定を指示する方法が考えられる。
【０００５】
また、特許文献１には、折り畳み型携帯電話で音声を含む動画データを視聴する際に、筐体を開いた状態から閉じた状態に変化させたときに、再生中の音声の再生を停止し、再び開いたときに音声と動画を再開するという方法が提案されている。
【特許文献１】特開２００３−１１０６６６号公報
【発明の開示】
【発明が解決しようとする課題】
【０００６】
しかしながら、上記の提案方法では以下のような問題点が発生する。
ユーザーが端末のキー入力による指示を行わない限り、放送コンテンツデータの受信の開始、終了ができない。そのため、ユーザーの周囲の状況の変化があったときに、即座に受信状態を変更することができない。
ユーザーが端末のキー入力による指示を行わない限り、放送コンテンツデータの端末内部のメモリへの保存の開始、終了ができない。そのため、ユーザーの周囲の状況に変化があったときに、即座に保存状態を変更することができない。
【０００７】
また、特許文献１に記載の方法では、筐体を閉じた場合に再生を中断し、筐体を開いた場合に受信中のデータの再生を復帰するだけなので、中断時の分のデータを見逃すことになる。
【０００８】
本発明の目的は、状況の変化があったとしても、放送コンテンツデータの受信、保存、再生状態を的確に切り替えることが可能な放送受信装置を提供することにある。
【課題を解決するための手段】
【０００９】
本発明の第１の観点は、表示手段を備える第１の筐体と、操作手段を備える第２の筐体とが、開閉可能に構成された放送受信装置であって、放送を受信する放送受信手段と、受信放送を記録する記録手段と、開状態である放送受信装置が、前記放送受信手段により受信している放送を前記表示手段で表示している際に、当該表示手段が隠れる閉状態に状態変化すると、前記表示手段における放送の表示を停止するとともに、前記放送受信手段により受信している放送を記録手段に記録し、該放送の番組が終了すると当該記録手段の記録を停止する制御手段と、を備えている。
【００１１】
本発明の第２の観点は、表示手段を備える第１の筐体と、操作手段を備える第２の筐体とが、開閉可能に構成された放送受信装置であって、放送を受信する放送受信手段と、受信放送を記録する記録手段と、前記表示手段が露出する閉状態である放送受信装置が、前記放送受信手段により受信している放送を前記表示手段で表示している際に、開状態に状態変化すると、前記表示手段における放送の表示を停止するとともに、前記放送受信手段により受信している放送を記録手段に記録し、該放送の番組が終了すると当該記録手段の記録を停止する制御手段と、を備えている。
【発明の効果】
【００１３】
本発明によれば、状況の変化があったとしても、放送コンテンツデータの受信、保存、再生状態を的確に切り替えることが可能である。
【発明を実施するための最良の形態】
【００１４】
以下、本発明の実施形態を図面に関連付けて説明する。
【００１５】
図１は、本発明の実施形態に係る放送受信装置を例示して、放送受信機能を有する無線通信端末が適用可能な無線通信システムの一例を示す構成図である。
【００１６】
図１の無線通信システム１は、コンテンツサーバ２がＩＰネットワーク３を介してブロードキャスト／マルチスキャンサービス（ＢＣＭＣＳ）コントローラ４により制御されるＰＤＳＮ５に接続され、ＰＤＳＮ５はＢＴＳ／ＰＣＦ６を通して基地局としてのアクセスポイント（ＡＰ）７に接続されている。また、ＰＤＳＮ５はパケットデータ処理ノードを意味する。
【００１７】
ＢＣＭＣＳとは、現在、1xEV-DO通信方式がすでに商用化されている機能の１つで、ブロードキャスト／マルチキャストサービス（Broadcast Multicast Service：ＢＣＭＣＳ)を意味する。
【００１８】
ブロードキャストサービスは、無線通信回線網を利用し、基地局が自局のサービスエリア（たとえば、セルやセクタ）内の無線通信端末全体に対して継続的にデータをコネクションレス形式で送信する、すなわち、「放送する」サービス形態である。
【００１９】
マルチキャストサービスは、ブロードキャストサービスの類似のサービスであるが、サービスエリア（たとえば、セルやセクタ）内の無線通信端末の中でも特定のサービス情報（たとえば、有料サービス）を契約している特定のユーザのみが視聴できるように放送するサービス形態である。
【００２０】
本実施形態の無線通信システム１および無線通信端末（ＡＴ：Ａｃｃｅｓｓ Ｔｅｒｍｉｎａｌ）８は、たとえば符号分割多重方式のCDMA2000 1x方式（第１の通信方式）と時分割多重接続方式の1xEV-DO通信方式（第２の通信方式）のうち、少なくとも1xEV-DO通信方式（第２の通信方式）に適用可能に構成されている。
【００２１】
本実施形態の無線通信端末８は、携帯電話機により形成される。
この携帯電話機としては、後で詳述するように、「折り畳み型携帯電話機」、「スライド型携帯電話機」、「回転型２軸型携帯電話機」の開閉可能に連結された２つ筐体を有し携帯電話機により形成され、開閉状態を検出する筐体状態検出部で検出される筐体の開閉状態に応じて放送コンテンツデータの受信、保存、再生状態を的確に切り替えることが可能に構成される。
【００２２】
基地局としてのアクセスポイント（ＡＰ）７は、自局がカバーするセル（またはセクタ）をサービスエリアとして、このサービスエリア内に存在する無縁通信端末（ＡＴ）８全体に対してコンテンツサーバ２のサービス情報を放送（配信）する。
【００２３】
ブロードキャストサービスやマルチキャストサービスで放送するデータの形態としては、具体的に、文字情報や音声、音楽情報や映像情報等があり、ここではこれらの情報をサービス情報と呼んでいる。
【００２４】
ＢＣＭＣＳにおいては、無線通信端末（ＡＴ）８と基地局であるアクセスポイント（ＡＰ）７間でアクセスポイント（ＡＰ）７が放送するデータを無線通信端末（ＡＴｔ）８が一方的に受信する。
【００２５】
ブロードキャストサービスを実行中の無線通信端末（ＡＴ）８は、まず一通りブロードキャストデータを連続受信する。ここで何らかの要因で途中のパケットを受信できなかった（失敗した）場合、そのパケットが再度放送されるのを待つ（再送待ちをする）。
本実施形態においては、その再度放送されるのを待っている（再送待ちの）間に今まで受信した全データと、直近（例：30秒間）に受信したデータからそれぞれ転送速度を求め、次回に自分が必要なパケットが来るまでの時間を予測する。その時間が来るまで、無線通信端末（ＡＴ）８はブロードキャストデータを受信するための連続受信を止めて（中止、停止）、自分に割当てられた間隔で、基地局であるアクセスポイント（ＡＰ）７の制御情報の間欠受信をする。
このとき、無線通信端末（ＡＴ）８は、基地局であるアクセスポイント（ＡＰ）７の制御情報を監視する間欠受信中において通信状態を確認する際に不定期に放送されてくるブロードキャストデータを受信し、次回に再度放送されるのを待っているパケットが来るまでの時間を補正する。
その際に次回の間欠受信のタイミングまでにＢＣＭＣＳフローレジストレーションメッセージ（BCMCS Flow Registration Message）を送信する必要があると判断した場合、ＢＣＭＣＳフローレジストレーションメッセージ（BCMCS Flow Registration Message）を前もって送信する。システムによって必要ない場合は省略してもよい。
【００２６】
次に、本実施形態の無線通信端末（ＡＴ）８について説明する。
【００２７】
図２は、本実施形態の無線通信端末（ＡＴ）８の構成を示すブロック図である。
図３は、本実施形態の無線通信端末（ＡＴ）８における制御部および記憶部の機能ブロック図である。
【００２８】
無線通信端末（ＡＴ）８は、通常の音声通信やデータ通信のほか、ＢＣＭＣＳの受信に対応しており、アンテナおよびＲＦ回路を含む無線通信部８１、制御部８２、コンテンツデータ保存部８３１を含む記憶部８３、表示部８４、音声処理部８５、および入力部８６を、主構成要素として有している。
【００２９】
無線通信部８１は、アンテナで基地局であるアクセスポイント（ＡＰ）７から送信されてくる電波を受信し、アクセスポイント（ＡＰ）７に電波を送信する。
無線通信部８２は、アンテナで受信した高周波信号をデジタル信号に復調し、制御部８２の制御の下、送信すべきデジタル信号を変調してアンテナを通して送出する。
【００３０】
制御部８２は、記憶部８３に記憶されているプログラムを実行することによって音声通信やデータ通信の動作の制御や無線通信を利用する様々なサービスを処理する。たとえばブロードキャストサービスのサービス情報の受信の制御、アクセスポイント（ＡＰ）の切り替え(ハンドオフ)等の制御を行う。
【００３１】
制御部８２は、２つの筐体の開閉状態を検出し、検出した筐体の開閉状態に応じて放送コンテンツデータの受信、保存、再生状態を的確に切り替えるように制御する。
制御部８２は、無線通信部８１により受信した放送コンテンツデータ（ブロードキャストデータ）を取り込み等する受信制御、データの再生制御、および記憶部８３への記憶制御機能を有する。
【００３２】
制御部８２は、この放送コンテンツデータの受信、保存、再生状態を的確に切り替え機能を実現するために、図３に示すように、筐体状態検出部８２１、ブロードキャストコンテンツ全データ受信判定部８２２、ブロードキャストコンテンツデータ受信部８２３、ブロードキャストコンテンツデータ記憶領域切り替え部８２４、音声制御部８２５、および画像表示制御部８２６を有する。
【００３３】
筐体状態検出部８２１は、２つの筐体の開閉状態を検出する。
ブロードキャストコンテンツ全データ受信判定部８２２は、ブロードキャストコンテンツの全データを受信したか否かを判定する。
ブロードキャストコンテンツデータ受信部８２３は、筐体状態検出部８２１の開閉状態の検出結果に応じて、ブロードキャストコンテンツデータの受信を行う。
ブロードキャストコンテンツデータ記憶領域切り替え部８２４は、筐体状態検出部８２１の開閉状態の検出結果およびブロードキャストコンテンツデータ受信部８２３の状態に応じて記憶部８３における記憶領域の切り替え制御を行う。
音声制御部８２５は、受信データに応じて音声処理部８５の音声出力の制御を行う。
画像表示制御部８２６は、受信データに応じて画像データの表示部８４への表示制御を行う。
【００３４】
また、制御部８２は、たとえば以下の通信制御を行うことが可能である。
制御部８２は、サービス情報の受信の制御に際して、無線通信部８１を制御して、ブロードキャストサービスを実行中に、まず一通りブロードキャストデータを連続受信し、ここで何らかの要因で途中のパケットを受信できなかった場合、そのパケットの再度放送されるのを待つ。
制御部８２は、再度放送されるのを待つ（再送待ちの）間に今まで受信した全データと、直近（例：30秒間）に受信したデータからそれぞれ転送速度を求め、次回の再度放送されるパケットが来るまでの時間を予測する。その時間が来るまで、無線通信端末（ＡＴ）８は、ブロードキャストデータを受信するための連続受信を止めて（中止、停止）、自分に割当てられた間隔で間欠受信をする。
制御部８２は、間欠受信中の通信状態を確認する際に不定期に送信されてくるブロードキャストデータを受信し、次回の再度放送されるパケットが来るまでの時間を補正する。制御部８２は、その際に次回の間欠受信のタイミングまでにＢＣＭＣＳフローレジストレーションメッセージ（BCMCS Flow Registration Message）を送信する必要があると判断した場合、無線通信部８１を制御してＢＣＭＣＳフローレジストレーションメッセージ（BCMCS Flow Registration Message）を前もって送信する。システムによって必要ない場合は省略してもよい。
【００３５】
記憶部８３は、無線通信端末（ＡＴ）８の動作に必要な情報や制御プログラムを記憶する。たとえば、現在無線通信端末（ＡＴ）８が受信しているサービス情報や、サービス情報の受信に際して制御部８２で処理して得られた情報、基地局としてのアクセスポイント（ＡＰ）７から受信した周辺基地局情報が記憶される。
【００３６】
記憶部８２は、制御部８２においてサービス情報であるブロードキャストデータの受信に際して得られる情報を記憶するため、図３に示すように、ブロードキャストコンテンツ全データ受信判定フラグ記憶部８３２、ブロードキャストコンテンツデータテンポラリ用記憶部８３３、およびブロードキャストコンテンツデータ保存用記憶部８３４を含む。
ブロードキャストコンテンツ全データ受信判定フラグ記憶部８３２は、制御部８２のブロードキャストコンテンツ全データ受信判定部８２２の判定結果とブロードキャストコンテンツデータ受信部８２３の受信状態に応じてオン、オフされる受信判定フラグが記憶される。
ブロードキャストコンテンツデータテンポラリ用記憶部８３３、およびブロードキャストコンテンツデータ保存用記憶部８３４は、制御部８２のブロードキャストコンテンツデータ記憶領域切り替え部８２４により切り替え制御されてデータが保存される。
【００３７】
表示部８４は、制御部８２によって制御され、文字情報、画像情報、無線通信端末（ＡＴ）８の動作状態(電界強度、電池残量、時刻など)等を表示する。この表示部８４は、たとえばＬＣＤ等の表示パネルと、表示パネルを照明するバックライト等によって構成される。
【００３８】
音声処理部８５は、スピーカやマイクロフォンを含み、入力される音声をマイクロフォンにおいて電気信号に変換して増幅、アナログ・デジタル変換、符号化等の信号処理を施し、その処理結果の音声データを制御部８２に出力する。
音声処理部８５は、制御部８２から入力される受信データ等に応じた音声データに対して復号化、デジタル・アナログ変換、増幅等の処理を施して音声信号を生成し、これをスピーカにおいて音声に変換し出力する。
【００３９】
入力部８６は、文字、数字の入力、無線通信端末（ＡＴ）８への動作の指示等を受け付ける。
【００４０】
以下、本実施形態の筐体の開閉状態を検出可能な無線通信端末８を、「折り畳み型携帯電話機」、「スライド型携帯電話機」、「回転型２軸型携帯電話機」に分けて、制御部８２の制御を中心として状態遷移について図４〜図６に関連付けて説明し、その後、図７のフローチャートに関連付けて全体の制御動作について説明する。
【００４１】
図４は折り畳み型携帯電話機の状態遷移図であり、図５はスライド型携帯電話機の状態遷移図であり、図６は回転型2軸型携帯電話機の状態遷移図である。
まず、図４に関連付けて折り畳み型携帯電話機の状態遷移について説明する。
【００４２】
「折り畳み型携帯電話の状態遷移」の説明
図４は、本実施形態の無線通信端末」が折り畳み型携帯電話における状態遷移図の例である。
図中、状態A、Bは筐体の開閉状態を示している。また、図中、長丸の中の数字は端末内部の状態を示しており、順にデータの受信・再生・保存状態を表し、０で無効状態、１で有効状態を表している(例：110  →  受信ON・再生ON・保存OFF)。
各筐体状態における端末内部状態ついて以下に説明する。なお例をわかりやすくするため、ここで放送されるコンテンツデータは周期的に繰り返される性質のものとする。
【００４３】
＜筐体状態A（開状態）＞
内部状態 000  ：受信・再生・保存が全てOFFの状態である。この状態で、ユーザーが入力部８６のキー入力にて記憶部（以下、メモリ）８３に保存済みのデータの再生を指示した場合に内部状態010に遷移してデータを再生し、ユーザーがキー入力にて放送データ視聴を指示した場合に内部状態110に遷移し、データの受信・再生を開始する。この状態(内部状態 000）で、筐体を閉じて筐体状態Bになった場合には内部状態は変わらない。
内部状態 010  ：再生がON、受信・保存がOFFの状態である。この状態で、ユーザーがキー入力にて視聴の終了を指示した場合や、記憶部（以下、メモリ）８３に保存済みのデータの再生が終了した場合に内部状態000に遷移する。この状態(内部状態 010)で、筐体を閉じて筐体状態Bになった場合にはユーザーが再生の終了を意図して筐体を閉じたと判断し、内部状態000に遷移する。
内部状態 110  ：再生・受信がON、保存がOFFの状態である。この状態で、筐体を閉じて筐体状態Bになった場合に1周期分のデータを既に取得したかどうかを判定し、取得済みの場合はユーザーが受信・再生の終了を意図して筐体を閉じたと判断し、筐体状態Bの内部状態000に遷移する。取得が済んでいない場合は、内部状態101に遷移し、再生を停止し、受信データのメモリ８３への保存を開始する。この状態(内部状態 110)で、ユーザーがキー入力にて再生の終了を指示した場合には筐体状態Aの内部状態000に遷移する。
内部状態 111  ：受信・再生・保存が全てONの状態である。この状態で、1周期分のデータの再生が終了した場合やユーザーがキー入力にて再生の終了を指示した場合に内部状態000に遷移する。この状態(内部状態 111)で筐体を閉じて筐体状態Bになった場合には、ユーザーがデータ視聴を中断しようとしていると判断し、内部状態101に遷移し、再生を停止してバックグラウンドで受信データのメモリ８３への保存を開始する。
【００４４】
＜筐体状態B＞
内部状態 000  ：受信・再生・保存が全てOFFの状態である。筐体状態B中に１周期分のデータ受信を完了してこの状態に遷移した場合で、筐体を開いて筐体状態Aになった場合には内部状態010に遷移し、メモリ８３の保存済みのデータの再生を行う。それ以外の場合で筐体を開いて筐体状態Aになった場合には内部状態は変わらない。
内部状態 101  ：    受信・保存がON、再生がOFFの状態である。バックグラウンドで受信データのメモリ８３への保存を行っている状況である。この状態で、1周期分のデータ受信を完了した場合に内部状態000に遷移する。1周期分のデータが完了しておらず、筐体を開いて筐体状態Aになった場合に、内部状態111に遷移し、受信データをメモリ８３に保存しつつ保存済みのデータの再生を行う。
【００４５】
「スライド型携帯電話の状態遷移」の説明
図５は、本実施形態の無線通信端末がスライド型携帯電話における状態遷移図の例である。
図中、状態A、Bは筐体の開閉状態を示している。長丸の中の数字は端末内部の状態を示しており、順にデータの受信・再生・保存状態を表し、0で無効状態、1で有効状態を表している(例：110  →  受信ON・再生ON・保存OFF)。
各筐体状態における端末内部状態ついて以下に説明する。なお例をわかりやすくするため、ここで放送されるコンテンツデータは周期的に繰り返される性質のものとする。
【００４６】
＜筐体状態A＞
内部状態 000  ：受信・再生・保存が全てOFFの状態である。この状態で、ユーザーが入力部８６のキー入力にてメモリ８３に保存済みのデータの再生を指示した場合に筐体状態Aの内部状態010に遷移してデータを再生し、ユーザーがキー入力にて制御部８２に放送データ視聴を指示した場合に内部状態110に遷移し、データの受信・再生を開始する。筐体状態Aの内部状態101からこの状態(内部状態 000)に遷移した場合もしくは筐体状態Bの内部状態010からこの状態(内部状態 000)に遷移した場合で、この状態(内部状態 000)で筐体を閉じて筐体状態Bになった場合に筐体状態Bの内部状態010に遷移し、再生をする。それ以外の(内部状態 000)場合で筐体を閉じて筐体状態Bになった場合には内部状態は変わらない。
内部状態 010  ：再生がON、受信・保存がOFFの状態である。この状態で、ユーザーがキー入力にて制御部８２に視聴の終了を指示した場合や、メモリ８３に保存済みのデータの再生が終了した場合に内部状態000に遷移する。この状態(内部状態 010)で、筐体を閉じて筐体状態Bになった場合には内部状態は変わらない。
内部状態 101  ：受信・保存がON、再生がOFFの状態である。ユーザーがデータ視聴を一時中断し、別の操作をしており、バックグラウンドで受信データのメモリへの保存を行っている状況である。この状態で、1周期分のデータ受信を完了した場合に内部状態000に遷移する。この状態(内部状態 101)で筐体を閉じて筐体状態Bになった場合にはデータ視聴以外の別の操作が終了したと判断し、内部状態111に遷移し、受信データをメモリ８３に保存しつつ保存済みのデータの再生を行う。
内部状態 110  ：    再生・受信がON、保存がOFFの状態である。この状態で、筐体を閉じて筐体状態Bになった場合には内部状態は変わらない。この状態で、ユーザーがキー入力にて再生の終了を指示した場合に内部状態000に遷移する。
【００４７】
＜筐体状態B＞
内部状態 000  ：受信・再生・保存が全てOFFの状態である。この状態で、ユーザーがキー入力にてメモリ８３に保存済みのデータの再生を指示した場合に内部状態010に遷移してデータを再生し、ユーザーがキー入力にて放送データ視聴を指示した場合に内部状態110に遷移し、データの受信・再生を開始する。この状態で筐体を開いて筐体状態Aになった場合には内部状態は変わらない。
内部状態 010  ：再生がON、受信・保存がOFFの状態である。この状態(内部状態 010)で、ユーザーがキー入力にて視聴の終了を指示した場合や、メモリ８３に保存済みのデータの再生が終了した場合に筐体状態Bの内部状態000に遷移する。この状態(内部状態 0１0)で、筐体を開いて筐体状態Aになった場合には、ユーザーがデータ視聴を一時中断し、別の操作をしようとしていると判断し、筐体状態Aの内部状態000に遷移し、再生を停止する。
内部状態 110  ：再生・受信がON、保存がOFFの状態である。この状態で、ユーザーがキー入力にて再生の終了を指示した場合に筐体状態Bの内部状態000に遷移する。この状態(内部状態 110)で、筐体を開いて筐体状態Aになった場合には、ユーザーがデータ視聴を一時中断し、別の操作をしようとしていると判断して再生を停止し、更に１周期分のデータを既に取得したかどうかを判定し、取得済みと判断した場合には筐体状態Aの内部状態000へ、取得済みでないと判断した場合には内部状態101に遷移しバックグラウンドで受信データのメモリの保存を行う。
内部状態 111  ：受信・再生・保存が全てONの状態である。この状態で、1周期分のデータの再生が終了した場合やユーザーがキー入力にて再生の終了を指示した場合に内部状態000に遷移する。この状態(内部状態 111)で筐体を開いて筐体状態Aになった場合には、ユーザーがデータ視聴を一時中断し、別の操作をしようとしていると判断し、内部状態101に遷移し、再生を停止してバックグラウンドで受信データのメモリ８３への保存を開始する。
【００４８】
「回転型２軸型携帯電話の状態遷移」の説明
図６は、本実施形態の無線通信装置が回転型2軸型携帯電話における状態遷移図の例である。
状態A、B、Cは筐体の開閉状態を示している。長丸の中の数字は端末内部の状態を示しており、順にデータの受信・保存・再生状態を表し、0で無効状態、1で有効状態を表している(例：110  →  受信ON・保存ON・再生OFF)。
各筐体状態における端末内部状態ついて以下に説明する。なお例をわかりやすくするため、ここで放送されるコンテンツデータは周期的に繰り返される性質のものとする。
【００４９】
＜筐体状態A＞
内部状態 000  ：受信・再生・保存が全てOFFの状態である。この状態で、ユーザーがキー入力にてメモリ８３に保存済みのデータの再生を指示した場合に筐体状態Aの内部状態010に遷移してデータを再生し、ユーザーがキー入力にて放送データ視聴を指示した場合に内部状態110に遷移し、データの受信・再生を開始する。筐体状態Aの内部状態101からこの状態(内部状態 000)に遷移した場合もしくは筐体状態Bの内部状態010からこの状態(内部状態 000)に遷移した場合で、この状態(内部状態 000)で筐体を閉じて筐体状態Bになった場合に筐体状態Bの内部状態010に遷移し、再生をする。それ以外の場合で筐体を閉じて筐体状態Bになった場合には内部状態は変わらない。またこの状態(内部状態 000)で筐体を閉じて筐体状態Cになった場合には内部状態は変わらない。
内部状態 010  ：再生がON、受信・保存がOFFの状態である。この状態で、ユーザーがキー入力にて視聴の終了を指示した場合や、メモリ８３に保存済みのデータの再生が終了した場合に内部状態000に遷移する。この状態(内部状態 010)で、筐体を閉じて筐体状態Bになった場合には内部状態は変わらない。この状態(内部状態 010)で、筐体を閉じて筐体状態Cになった場合にはユーザーが再生の終了を意図して筐体を閉じたと判断し、内部状態000に遷移する。
内部状態 101  ：受信・保存がON、再生がOFFの状態である。ユーザーがデータ視聴を一時中断し、別の操作をしており、バックグラウンドで受信データのメモリ８３への保存を行っている状況である。この状態(内部状態 101)で、1周期分のデータ受信を完了した場合に内部状態000に遷移する。この状態で筐体を閉じて筐体状態Bになった場合にはデータ視聴以外の別の操作が終了したと判断し、内部状態111に遷移し、受信データをメモリ保存しつつ保存済みのデータの再生を行う。
内部状態 110  ：再生・受信がON、保存がOFFの状態である。この状態で、筐体を閉じて筐体状態Bになった場合には内部状態は変わらない。この状態で、ユーザーがキー入力にて再生の終了を指示した場合に筐体状態Aの内部状態000に遷移する。この状態(内部状態 110)で、筐体を閉じて筐体状態Cになった場合に1周期分のデータを既に取得したかどうかを判定し、取得済みの場合はユーザーが受信・再生の終了を意図して筐体を閉じたと判断し、筐体状態Bの内部状態000に遷移する。取得が済んでいない場合は、内部状態101に遷移し、再生を停止し、受信データのメモリへの保存を開始する。
内部状態 111  ：受信・再生・保存が全てONの状態である。この状態で、1周期分のデータの再生が終了した場合やユーザーがキー入力にて再生の終了を指示した場合に内部状態000に遷移する。この状態(内部状態 111)で、筐体を閉じて筐体状態Bになった場合には内部状態は変わらない。この状態(内部状態 111)で筐体を閉じて筐体状態Cになった場合には、内部状態101に遷移し、再生を停止してバックグラウンドで受信データのメモリ８３への保存を開始する。
【００５０】
＜筐体状態B＞
内部状態 000  ：受信・再生・保存が全てOFFの状態である。この状態で、ユーザーがキー入力にてメモリ８３に保存済みのデータの再生を指示した場合に内部状態010に遷移してデータを再生し、ユーザーがキー入力にて放送データ視聴を指示した場合に内部状態110に遷移し、データの受信・再生を開始する。この状態(内部状態 000)で筐体を開いて筐体状態Aになった場合には内部状態は変わらない。
内部状態 010  ：再生がON、受信・保存がOFFの状態である。この状態で、ユーザーがキー入力にて視聴の終了を指示した場合や、メモリ８３に保存済みのデータの再生が終了した場合に筐体状態Bの内部状態000に遷移する。この状態(内部状態 010)で、筐体を開いて筐体状態Aになった場合には、ユーザーがデータ視聴を一時中断し、別の操作をしようとしていると判断し、筐体状態Aの内部状態000に遷移し、再生を停止する。
内部状態 110  ：再生・受信がON、保存がOFFの状態である。この状態で、ユーザーがキー入力にて再生の終了を指示した場合に筐体状態Bの内部状態000に遷移する。この状態(内部状態 110)で、筐体を開いて筐体状態Aになった場合には、ユーザーがデータ視聴を一時中断し、別の操作をしようとしていると判断して再生を停止し、更に1周期分のデータを既に取得したかどうかを判定し、取得済みと判断した場合には筐体状態Aの内部状態000へ、取得済みでないと判断した場合には内部状態101に遷移しバックグラウンドで受信データのメモリ８３の保存を行う。
内部状態 111  ：受信・再生・保存が全てONの状態である。この状態で、1周期分のデータの再生が終了した場合やユーザーがキー入力にて再生の終了を指示した場合に内部状態000に遷移する。この状態(内部状態 111)で筐体を開いて筐体状態Aになった場合には、ユーザーがデータ視聴を一時中断し、別の操作をしようとしていると判断し、内部状態101に遷移し、再生を停止してバックグラウンドで受信データのメモリへの保存を開始する。
【００５１】
＜筐体状態C＞
内部状態 000  ：受信・再生・保存が全てOFFの状態である。筐体状態C中に1周期分のデータ受信を完了してこの状態に遷移した場合で、筐体を開いて筐体状態Aになった場合に内部状態010に遷移し、メモリ８３に保存済みのデータの再生を行う。それ以外の場合、筐体を開いて筐体状態Aになった場合には内部状態は変わらない。
内部状態 101      受信・保存がON、再生がOFFの状態である。1周期分のデータ受信を完了した場合に内部状態000に遷移する。1周期分のデータが完了しておらず、筐体を開いて筐体状態Aになった場合に、内部状態111に遷移し、受信データをメモリに保存しつつ保存済みのデータの再生を行う。
【００５２】
次に、図７のフローチャートに関連付けて本実施形態の全体の制御動作について説明する。
なお、この例では、折り畳み型の携帯電話を使用して、筐体を開いた状態で1xEV-DOのブロードキャストコンテンツを受信開始し、全コンテンツデータを視聴し終わるまでに筐体の開閉状態を変化させた場合を想定している。なおここでのコンテンツデータは周期的に繰り返される性質のものとする。
【００５３】
まず、ステップＳＴ０において、コンテンツデータ取得済みフラグをOFFする。
この状態で、ステップＳＴ１において、筐体を折り畳み状態から開く。
そして、ステップＳＴ２において、ブロードキャストコンテンツデータ(以下、コンテンツデータ)受信開始のキー操作をユーザーが行い、受信を開始する。
次に、ステップＳＴ３において、最初に受信したコンテンツデータのシーケンス番号を端末内部のメモリ８３に保存し、ステップＳＴ４において、受信したコンテンツデータの再生を開始する。
ステップＳＴ５において、1周期分のコンテンツデータの取得が終わったかどうかを判定する。受信中のコンテンツデータのシーケンス番号と、受信開始時に保存したシーケンス番号を比較し、一致(もしくは全体のxx％受信したと判断)したらステップＳＴ６の処理に移行する。
ステップＳＴ６において、コンテンツデータ取得済みフラグをONする。
次に、ステップＳＴ７において、筐体を折り畳まれたかどうかを判定する。
ステップＳＴ７において閉状態でると判定すると、ステップＳＴ８において、メモリ８３のコンテンツデータ取得済みフラグをチェックする。
ステップＳＴ８において、コンテンツデータ取得済みでないと判断すると、ステップＳＴ９においてコンテンツデータ(音、画像)の再生を停止し、ステップＳＴ１０において、受信中のコンテンツデータの、端末内部のメモリ８３への保存を開始する。
【００５４】
次に、ステップＳＴ１１において、1周期分のコンテンツデータの取得が終わったかどうかを判定する。ここでは、受信中のコンテンツデータのシーケンス番号と、受信開始時に保存したシーケンス番号を比較し、一致したらステップＳＴ１２の処理に移行する。
ステップＳＴ１２においては、コンテンツデータ取得済みフラグをONする。
次に、ステップＳＴ１３において、コンテンツデータの、端末内部のメモリへの保存を停止し、ステップＳＴ１４において、コンテンツデータの受信を停止する。
次に、ステップＳＴ１５において、筐体が折り畳み状態から開かれたどうかを判定する。
ステップＳＴ１５において、開状態でると判定すると、ステップＳＴ１６において、コンテンツデータ取得済みフラグをチェックする。
ステップＳＴ１６において、フラグがONであると判定すると、ステップＳＴ１７において、メモリに保存されたコンテンツデータの再生を行う。
次に、ステップＳＴ１８において、1周期分の再生が終わったかどうかを判定する。
ステップＳＴ１８において、再生が済んだと判定するとステップＳＲＴ２３の処理に移行し、コンテンツデータの再生を停止する。
【００５５】
また、ステップＳＴ１６において、フラグがONでないと判定すると、1周期分のコンテンツデータの取得が済んでいないので、ステップＳＴ１９において、受信データをメモリ８３に保存しつつ、メモリ８３に保存されたコンテンツデータの再生を開始する。
ステップＳＴ２０において、1周期分のコンテンツデータの取得が終わったかどうかを判定する。受信中のコンテンツデータのシーケンス番号と、受信開始時に保存したシーケンス番号を比較し、一致したらステップＳＴ２１の処理に移行する。
ステップＳＴ２１においては、コンテンツデータの、端末内部のメモリ８３への保存を停止する。
そして、ステップＳＴ２２において、コンテンツデータの受信を停止し、ステップＳＴ２３においてコンテンツデータの再生を停止する。
【００５６】
なお、以上の説明において、受信するコンテンツデータを1周期分のコンテンツデータとして、1周期分のコンテンツデータの取得が済んだか否かの判定する場合を例に説明したが、これはＢＣＭＣＳに対応した処理であり、放送（テレビジョンなど）の場合には、放送（番組：サービス）が終了したか否かが判定の対象となり、いずれの場合も本発明の態様の範囲内である。
【００５７】
以上説明したように、本実施形態によれば、筐体状態検出部の検出結果である筐体の開閉状態に応じて、放送コンテンツデータの受信の開始、もしくは受信済みのデータ内容を考慮して、受信の終了を行う第１機能と、放送コンテンツデータを受信中に、前記筐体状態検出部の検出結果である筐体の開閉状態に応じて、記憶部８３へのデータ保存の開始もしくは終了を行う第２機能と、放送コンテンツデータを受信中に、筐体状態検出部の検出結果である筐体の開閉状態に応じて、記憶部８３に保存されたデータの再生の開始もしくは終了を行う第３機能を含む制御部８２を有することから、以下の効果を得ることができる。
【００５８】
筐体の開閉状態で放送コンテンツデータの受信の開始・終了を指示するので操作が楽である。ユーザーの周囲の状況の変化があったときに、即座に受信状態を変更することができる。
受信済みのデータ内容を考慮して受信の終了を行うので、開閉状態の変化により意図しない受信の終了や、意図しない受信の継続が行われることがない。ユーザーが既にコンテンツを見終わった場合は、開閉状態の変化により受信を自動的に終了し、見終わっていない場合は自動的に受信を継続し、また、並行して保存することも可能である。
筐体の開閉状態で放送コンテンツデータの端末内部のメモリへの保存の開始・終了を指示するので操作が楽である。ユーザーの周囲の状況の変化があったときに、即座に保存状態を変更することができる。
また、筐体の開閉状態で放送コンテンツデータの端末内部のメモリに保存されたデータの再生・終了を指示するので操作が楽である。ユーザーの周囲の状況の変化があったときに、即座に再生状態を変更することができる。ユーザーが視聴を一時的に中断し、後で中断時のデータから再開することが容易に実現可能となる。
【図面の簡単な説明】
【００５９】
【図１】本発明の実施形態に係る無線通信システムの構成図である。
【図２】本実施形態の無線通信端末（ＡＴ）８の構成を示すブロック図である。
【図３】本実施形態の無線通信端末（ＡＴ）８における制御部および記憶部の機能ブロック図である。
【図４】本実施形態の無線通信端末が折り畳み型携帯電話機の場合の状態遷移図である。
【図５】本実施形態の無線通信端末がスライド型携帯電話機の場合の状態遷移図である。
【図６】本実施形態の無線通信端末が回転型２軸型携帯電話機の状態遷移図である。
【図７】本実施形態の全体の制御動作について説明するためのフローチャートである。
【符号の説明】
【００６０】
１・・・無線通信システム、２・・・コンテンツサーバ、３・・・ＩＰネットワーク、４・・・ブロードキャスト／マルチスキャンサービス（ＢＣＭＣＳ）コントローラ、５・・・ＰＤＳＣ５，６・・・ＢＴＳ／ＰＣＦ、７・・・基地局であるアクセスポイント（ＡＴ）、８，８Ａ〜８Ｃ・・・無線通信端末（ＡＴ）、８１・・・無線通信部、８２・・・制御部、８３・・・記憶部、８４・・・音声処理部、８５・・・表示部、８６・・・入力部。
【図１】
0004405457.tif 000002
【図２】
0004405457.tif 000003
【図３】
0004405457.tif 000004
【図４】
0004405457.tif 000005
【図５】
0004405457.tif 000006
【図６】
0004405457.tif 000007
【図７】
0004405457.tif 000008